(57)【要約】【課題】１つの物品として構成されていて、既存の鍵穴を交換することなく装着できる錠を提供する。【解決手段】施錠対象に付設可能な錠１０の裏面は前記施錠対象のカバー等の枠部分の外面に固定可能であり、前記施錠対象の扉、引出し等の可動部材を係止可能な係止部材１３、係止部材１３を押す押圧手段２０および第１弾性部材を備えている。係止部材１３は基部１３ａと先端部１３ｂを有し、押圧手段２０が基部１３ａを押すことにより係止部材１３が回転して先端部１３ｂにより前記施錠対象の扉、引出し等の可動部材を係止する施錠状態になる。前記第１弾性部材が係止部材１３を前記施錠対象の扉、引出し等の可動部材を係止しない開錠状態にする方向に回転するように付勢している。【選択図】図８
2009084830.tif 000002
【特許請求の範囲】
【請求項１】
施錠対象に付設可能な錠であって、
錠の裏面は前記施錠対象のカバー等の枠部分の外面に固定可能であり、
前記施錠対象の扉、引出し等の可動部材を係止可能な係止部材、前記係止部材を押す押圧手段および第１弾性部材を備え、
前記係止部材は基部と先端部を有し、前記押圧手段が前記基部を押すことにより前記係止部材が回転して前記先端部により前記施錠対象の扉、引出し等の可動部材を係止する施錠状態になり、
前記第１弾性部材は前記係止部材を前記施錠対象の扉、引出し等の可動部材を係止しない開錠状態にする方向に回転するように付勢していることを特徴とする錠。
【請求項２】
請求項１記載の錠であって、
前記押圧手段は制御部、モータ、減速機構、ネジ部材およびスライダを備え、前記制御部がモータの回転を制御し、前記減速機構が前記モータの回転を減速して前記ネジ部材に伝え、前記スライダが前記ネジ部材の回転により前記ネジ部材に沿って移動して前記係止部材の基部を押すことを特徴とする錠。
【請求項３】
請求項２記載の錠であって、
前記制御部はＩＣカード、ＩＣタグ等のＩＣ具有部材により制御されることを特徴とする錠。
【請求項４】
請求項１から３までのいずれかに記載の錠であって、
さらに、錠の裏面を構成する裏面部材および第２弾性部材を備え、
前記裏面部材および第２弾性部材以外の部分を錠本体とし、
前記裏面部材は前記錠本体に対し摺動可能に取り付けられるとともに、前記施錠対象のカバー等の枠部分の外面に固定可能であり、
前記裏面部材の摺動方向は前記押圧手段が前記係止部材を押す方向と同じ方向および前記押す方向と反対方向であり、
前記第２弾性部材の一端は前記裏面部材に支えられ、前記第２弾性部材の他端は前記錠本体に支えられた状態で、前記第２弾性部材が前記錠本体を付勢し、
前記第２弾性部材が前記錠本体を付勢する方向は前記押圧手段が前記係止部材を押す方向と同じ方向であることを特徴とする錠。
【発明の詳細な説明】
【技術分野】
【０００１】
本発明は、施錠対象に付設可能な錠に関するものである。
【背景技術】
【０００２】
従来、既存の収納具に容易に取り付けることができる錠前として、ロックピンを突出させたキーユニットを予め収納具の引出しに外部装着できるように構成し、そのロックピンを受け入れてラッチするロックユニットを、予め収納具に外部装着できるように構成し、コントローラを収納具の上側等に設置し、カードを用いて施錠、開錠を制御できるようにするものがある（例えば特許文献１参照）。
また、ＩＣカード等の入力操作によって、施錠、開錠される開閉ドア用の電子錠に関し、駆動用モータを使用しているものがある（例えば特許文献２参照）。この場合、モータと、このモータの駆動を出力ギアにより伝達する減速歯車機構と、この減速歯車機構により回転駆動される出力ギアと、この出力ギアの回転により直線往復移動されるデッドボルトと、前記出力ギアの施錠方向・開錠方向の回転を付勢する開脚バネと、前記モータの回転を電気的に制御する制御部と、この制御部に電気的に接続され施錠状態または開錠状態を検出して制御部を介して前記モータの駆動を停止させるためのスイッチ装置とを有している。
【特許文献１】特開２００１−３４９１１９号公報
【特許文献２】特開２００１−２３４６４９号公報
【発明の開示】
【発明が解決しようとする課題】
【０００３】
しかし、上述の特許文献１の従来例では、引出し側に取り付けるキーユニットと収納具に取り付けるロックユニットとの２つの部分に分かれているので、２つの部分の各々を取り付ける工事が必要になるという問題があった。
また、特許文献２の従来例は、既存の鍵と交換するものであるので、既存の鍵穴を交換する追加工事が必要になるという問題があった。
そこで、本発明が解決しようとする課題は、上述の問題点を解決し、１つの物品として構成されていて、既存の鍵穴を交換することなく装着できる錠を提供することである。
【課題を解決するための手段】
【０００４】
上記課題を解決するため、請求項１記載の発明は、施錠対象に付設可能な錠であって、錠の裏面は前記施錠対象のカバー等の枠部分（側板、天板等を含む。）の外面に固定可能であり、前記施錠対象の扉、引出し等の可動部材を係止可能な係止部材、前記係止部材を押す押圧手段および第１弾性部材を備え、前記係止部材は基部と先端部を有し、前記押圧手段が前記基部を押すことにより前記係止部材が回転して前記先端部により前記施錠対象の扉、引出し等の可動部材を係止する施錠状態になり、前記第１弾性部材は前記係止部材を前記施錠対象の扉、引出し等の可動部材を係止しない開錠状態にする方向に回転するように付勢していることを特徴とする錠である。
【０００５】
請求項１記載の発明により、前記押圧手段が前記係止部材の基部を押すことにより、前記係止部材の先端部が回転して前記施錠対象の扉、引出し等の可動部材を係止する施錠状態になる。一方、前記第１弾性部材が前記係止部材を開錠状態になるように付勢しているので、前記押圧手段が前記係止部材の基部を押していない場合には、前記係止部材は前記施錠対象の扉、引出し等の可動部材を係止しない開錠状態になる。
【０００６】
さらに、請求項２記載の発明は、請求項１記載の錠であって、前記押圧手段は制御部、モータ、減速機構（ウォームギヤを含む。）、ネジ部材（ボールネジを含む。）およびスライダを備え、前記制御部が前記モータの回転を制御し、前記減速機構が前記モータの回転を減速して前記ネジ部材に伝え、前記スライダが前記ネジ部材の回転により前記ネジ部材に沿って移動して前記係止部材の基部を押すことを特徴とする錠である。
【０００７】
請求項２記載の発明により、前記モータは前記制御部に制御されて回転し、前記モータの回転は前記減速機構により減速されて前記ネジ部材に伝えられる。そして、前記ネジ部材の回転により前記スライダが前記ネジ部材に沿って移動して前記係止部材の基部を押す。
【０００８】
さらに、請求項３記載の発明は、請求項２記載の錠であって、前記制御部はＩＣ具有部材（ＩＣカード、ＩＣタグ等を含む。）により制御されることを特徴とする錠である。
【０００９】
請求項３記載の発明により、制御部はＩＣ具有部材により制御されて前記モータを回転させることができる。
【００１０】
さらに、請求項４記載の発明は、請求項１から３までのいずれかに記載の錠であって、さらに、錠の裏面を構成する裏面部材および第２弾性部材を備え、前記裏面部材および第２弾性部材以外の部分を錠本体とし、前記裏面部材は前記錠本体に対し摺動可能に取り付けられるとともに、施錠対象のカバー等の枠部分の外面に固定可能であり、前記裏面部材の摺動方向は前記押圧手段が前記係止部材を押す方向と同じ方向および前記押す方向と反対方向であり、前記第２弾性部材の一端は前記裏面部材に支えられ（固定されている場合と固定されていない場合の両方を含む。）、前記第２弾性部材の他端は前記錠本体に支えられた（固定されている場合と固定されていない場合の両方を含む。）状態で、前記第２弾性部材が前記錠本体を付勢し、前記第２弾性部材が前記錠本体を付勢する方向は前記押圧手段が前記係止部材を押す方向と同じ方向であることを特徴とする錠である。
【００１１】
請求項４記載の発明により、錠の裏面部材を施錠対象のカバー等の枠部分の外面に固定して、錠を前記枠部分に固定することができる。そして、錠の錠本体の係止部材にて前記施錠対象の扉、引出し等の可動部材を係止することができる。
また、第２弾性部材が前記錠本体を「前記押圧手段が前記係止部材を押す方向と同じ方向」に付勢しているので、通常は前記錠本体は前記「押圧手段が前記係止部材を押す方向と同じ方向」に押されているが、前記係止部材が「押圧手段が前記係止部材を押す方向」と反対方向に押された場合に前記錠本体は前記第２弾性部材の付勢力に抗して「前記押圧手段が前記係止部材を押す方向と反対方向」に摺動して移動可能である。
【発明の効果】
【００１２】
請求項１記載の発明によれば、錠は１つの物品として構成されていて、既存の鍵穴を交換することなく施錠対象に装着可能である。
さらに、請求項２記載の発明によれば、請求項１記載の発明の効果とともに、請求項１記載の錠を容易に構成することができる。
さらに、請求項３記載の発明によれば、請求項２記載の発明の効果とともに、錠の開錠および施錠をＩＣ具有部材で行うことができる。
さらに、請求項４記載の発明によれば、請求項１から３までの発明の効果とともに、施錠対象の扉、引出し等の可動部材を係止しないで、錠の係止部材が施錠状態の位置にある場合に、誤って施錠対象の扉、引出し等の可動部材を動かして錠の係止部材に衝突させたときに、錠の係止部材が受ける衝撃を緩和することができる。
【発明を実施するための最良の形態】
【００１３】
以下、本発明における実施の形態を図面に基づいて説明する。
図１は本発明の実施の形態に係わる錠の正面を一部分破断して示し、図２は図１の錠の下面を示し、図３は図１の錠の背面を示し、図４は図１の錠の背面側から斜めに見た状態を示し、図５は図３の背面側からみた内部構造を示し、図６は図２の下面側から見た内部構造を示す。さらに、図７は図５の係止部材等を斜めに見た状態を示し、図８は図４の背面側から斜めに見た内部構造を示し、図９は図８の係止部材を示し、図１０は図１の錠本体の静止機構を示し、図１１は図１の錠の回路のブロックを示す。さらに、図１２は図１の錠の施錠状態を示し、図１３は図１２の錠の背面側から斜めに見た状態を示し、図１４は図１２の錠の係止部材に衝撃が加わる場合を示す。
【００１４】
図１に示す錠１０は、施錠対象１（図１２参照）に付設可能であって、錠１０の裏面は施錠対象１のカバー等の枠部分の外面２（図１２参照）に両面テープ、ネジ等により固定可能である。錠１０は施錠対象１の扉、引出し等の可動部材３（図１２参照）を係止可能な係止部材１３、係止部材１３を押す押圧手段２０および第１弾性部材１４（図７および図９参照、例えばトーションバネ）を備えている。
図８に示すように、係止部材１３は基部１３ａと先端部１３ｂを有し、押圧手段２０が基部１３ａを押すことにより係止部材１３が回転して先端部１３ｂにより扉、引出し等の可動部材３を係止する施錠状態になる（図１２参照）。そして、第１弾性部材１４は係止部材１３を開錠状態にする方向に回転するように付勢している。具体的には、図９に示すように、係止部材１３の基部１３ａの一端部は軸１３ｅを回転中心として回転可能に配置され、軸１３ｅはフレーム１１ｂ（図７および図８参照）に支持されている。そして、係止部材１３の先端部１３ｂは基部１３ａの他端部に結合している。
【００１５】
なお、図１に示すように、フレーム１１ｂの両端の張り出し部に形成された孔１１ｃを介して図示しないネジによりフレーム１１ｂはカバー１２の内面に固定されている。
また、図７に示すように、フレーム１１ｂは係止部材１３を保持する枠状に形成されている。係止部材１３の一端部には第１張出片１３ｃが形成され、係止部材１３の他端部には第２張出片１３ｄが形成されている。第１張出片１３ｃおよび第２張出片１３ｄは軸１３ｅの近傍に配置されている。第１弾性部材１４の一端部は第１張出片１３ｃを押圧し（係止部材１３が開錠状態になる方向に押圧している。）、第１弾性部材１４の他端部はフレーム１１ｂの凹部を押圧している。なお、第１張出片１３ｃおよび第２張出片１３ｄはフレーム１１ｂの凹部に係止されているので、フレーム１１ｂの凹部が第１弾性部材１４に付勢された第１張出片１３ｃおよび第２張出片１３ｄのストッパになっている。
【００１６】
図５に示すように、押圧手段２０は制御部２１（図５では制御部２１の基板を示している。）、モータ２２、減速機構２３、ネジ部材２４およびスライダ２５を備えている。制御部２１がモータ２２の回転を制御し、減速機構２３がモータ２２の回転を減速してネジ部材２４に伝え、スライダ２５がネジ部材２４の回転によりネジ部材２４に沿って移動して係止部材１３の基部１３ａを押す。なお、減速機構２３が減速してネジ部材２４を回転させるので、逆にネジ部材２４が減速機構２３を回転させることはほとんどない。
具体的には、スライダ２５はネジ部材２４に螺合し、第１突起部２５ａおよび第２突起部２５ｂを備えている。モータ２２が正転し、スライダ２５が係止部材１３の基部１３ａ（図９参照）を押して施錠状態になるときに（図１３参照）、第１突起部２５ａが施錠検知スイッチ４２を押し、モータ２２が逆転し、スライダ２５が減速機構２３側に移動し開錠状態になるときに第２突起部２５ｂが開錠検知スイッチ４３を押す。施錠検知スイッチ４２が押されたときに施錠状態を検知した信号が制御部２１に送られ、開錠錠検知スイッチ４３が押されたときに開錠状態を検知した信号が制御部２１に送られる。
なお、施錠状態では、図１３に示すように、係止部材１３の基部１３ａ（図９参照）をスライダ２５の側面（スライダ２５の前記移動方向に並行な面）が押している状態であるので、係止部材１３を押してもスライダ２５が押されて移動することはない。
【００１７】
なお、図１１に示すように、制御部２１はＩＣ具有部材５０により制御される。さらに、図１に示すように、カバー１２の内部に電池２６が配置されている。電池２６は制御部２１およびモータ２２の電源となる。具体的には、モータ２２は制御部２１のリレーにより正転・逆転の切替可能である。押しボタンスイッチ４１はトリガースイッチであり押されるとオン（またはオフ）する。また、施錠検知スイッチ４２が押されるとオン（またはオフ）し、また、開錠検知スイッチ４３が押されるとオン（またはオフ）する。
【００１８】
（開錠状態から施錠するとき）
図５に示すように、開錠状態では、開錠検知スイッチ４３が押され、施錠検知スイッチ４２が押されていない。この状態でＩＣ具有部材５０から電波信号を制御部２１が受信して認証（ＩＣ具有部材５０が発するＩＤ信号を検知して認証する。）し、さらに、押しボタンスイッチ４１が押されると、制御部２１がモータ２２を正転させ、施錠動作をする。そして、施錠検知スイッチ４２が押されると、モータ２２が停止して施錠状態となる。なお、施錠状態では開錠検知スイッチ４３は押されていない。
なお、施錠検知スイッチ４２が押されると、制御部２１のタイマーにより若干の時間（例えば数秒）経過後に、モータ２２は制御部２１のリレーにより逆転が可能なように電池２６に接続される。
（施錠状態から開錠するとき）
施錠状態では、施錠検知スイッチ４２が押され開錠検知スイッチ４３が押されていない。この状態で、ＩＣ具有部材５０から電波信号を制御部２１が受信して認証し、さらに、押しボタンスイッチ４１が押されると、制御部２１がモータ２２を逆転させ、開錠動作をする。そして、開錠検知スイッチ４３が押されると、モータ２２が停止して開錠状態となる。なお、開錠状態では施錠検知スイッチ４２が押されていない。
なお、開錠検知スイッチ４３が押されると、制御部２１のタイマーにより若干の時間（例えば数秒）経過後に、モータ２２は制御部２１のリレーにより正転が可能なように電池２６に接続される。
【００１９】
さらに、図４に示すように、錠１０は、錠１０の裏面を構成する裏面部材３０（図３参照）および２つの第２弾性部材３１（図８参照）を備えている。なお、錠１０のうち「裏面部材３０および第２弾性部材３１」以外の部分を錠本体１１とする。１１ａは錠本体１１の裏板であり、２つのネジ１１ｄによりカバー１２のリブに固定されている。
裏面部材３０は錠本体１１に対し摺動可能に取り付けられている。具体的には、錠本体１１のカバー１２の裏面部材３０側には第１縁１２ａおよび第２縁１２ｂが形成されている。なお、裏面部材３０は錠本体１１の裏板１１ａと各縁１２ａ、１２ｂに挟まれている。第１縁１２ａと第２縁１２ｂは互いに平行であり、第１縁１２ａと第２縁１２ｂに沿って裏面部材３０が摺動可能である。すなわち、裏面部材３０には第１端部３０ａおよび第２端部３０ｂが形成されている。第１端部３０ａと第２端部３０ｂは互いに平行であり、
裏面部材３０のうち「第１端部３０ａと第２端部３０ｂ」以外の部分との間に段差が形成されている。そして、裏面部材３０が摺動する際には、第１端部３０ａは第１縁１２ａに沿って摺動し、第２端部３０ｂは第２縁１２ｂに沿って摺動する。
【００２０】
また、裏面部材３０は施錠対象１のカバー等の枠部分の外面２（図１２参照）に両面テープ、ネジ等により固定可能である。第２弾性部材３１の一端は裏面部材３０に支えられ、第２弾性部材３１の他端は錠本体１１（図８参照）に支えられる。そして、第２弾性部材３１が錠本体１１を「押圧手段２０が係止部材１３を押す方向と同じ方向」に付勢している。
具体的には、図８に示すように、第２弾性部材３１は軸３１ａ、コイルバネ３１ｂ、端部３１ｃおよびリング状部材３１ｄを備え、軸３１ａがコイルバネ３１ｂおよびリング状部材３１ｄを挿通し、軸３１ａの一端部が端部３１ｃに固定され、端部３１ｃは錠本体１１の裏板１１ａ（図４参照）にネジ１１ｅで固定されている。なお、このとき、図４に示すように、端部３１ｃの突起部３１ｃａが裏板１１ａの孔１１ａａに嵌合する。
さらに、図４に示すように、裏面部材３０に支持部３０ｅが形成され、支持部３０ｅにリング状部材３１ｄが支えられている（固定されている場合および固定されていない場合の両方を含む）。そして、コイルバネ３１ｂの一方の端がリング状部材３１ｄを押し、コイルバネ３１ｂの他方の端が端部３１ｃを押している。このため、コイルバネ３１ｂの長さが変わると、リング状部材３１ｄが軸３１ａに沿って移動することになる。
図４において、裏面部材３０の摺動方向は押圧手段２０（図８）が係止部材１３を押す方向と同じ方向および前記押す方向と反対方向である。
【００２１】
さらに、図８に示すように、カバー１２に着脱自在な蓋１５が配設されている。蓋１５とカバー１２とにより錠本体１１の外枠を構成している。蓋１５は錠本体１１の一方の端の側面に配置され、係止部材１３は錠本体１１の他方の端の側面（カバー１２の開口部１２ｄ）に配置されている。具体的には、蓋１５の両端の突起部１５ａはそれぞれカバー１２の両端の溝１２ｃに摺動自在に取り付けられている。なお、図８には一方の端の溝１２ｃおよび突起部１５ａが示されている。
【００２２】
図１０に示すように、裏面部材３０にはロック部３０ｃが形成され、ロック部３０ｃには溝３０ｄが形成されている。また、蓋１２の正面の凹部にはロック部材１６が固定されている。ロック部材１６（図２参照）は鍵１６ａ（鍵穴１６ｃを備えている。）およびロック片１６ｂを備えている。鍵１６ａによりロック片１６ｂが溝３０ｄに係止した状態（図１０の実線で示す状態）および係止しない状態（図１０の二点鎖線で示す状態であり、蓋１５がカバー１２から取り外されている場合に係止しない状態にすることができる。）を切り替えることができる。ロック片１６ｂが溝３０ｄに係止した状態では、ロック部材１６によりカバー１２と裏面部材３０とが固定されているが、ロック片１６ｂが溝３０ｄに係止しない状態ではカバー１２と裏面部材３０とが分離されるので、カバー１２を含む錠本体１１は、裏面部材３０に対し摺動できるので、裏面部材３０から取り外されることができる。
【００２３】
以上の構成の錠１０は、以下の動作をする。
押圧手段２０が係止部材１３の基部１３ａを押すことにより、係止部材１３の先端部１３ｂが回転して前記扉、引出し等の可動部材３を係止する施錠状態になる。一方、第１弾性部材１４が係止部材１３を開錠状態になるように付勢しているので、押圧手段２０が係止部材１３の基部１３ａを押していない場合には、係止部材１３は前記扉、引出し等の可動部材３を係止しない開錠状態になる。
【００２４】
さらに、モータ２２は制御部２１に制御されて回転し、モータ２２の回転は減速機構２３により減速されてネジ部材２４に伝えられる。そして、ネジ部材２４の回転によりスライダ２５がネジ部材２４に沿って移動して係止部材１３の基部１３ａを押す。
【００２５】
錠１０の裏面部材３０を施錠対象１のカバー等の枠部分の外面２に固定して、錠１０を枠部分の外面２に固定することができる。そして、錠１０の錠本体１１の係止部材１３にて施錠対象１の扉、引出し等の可動部材３を係止することができる。
また、第２弾性部材３１が裏面部材３０に対し錠本体１１を「押圧手段２０が係止部材１３を押す方向と同じ方向」に付勢しているので、通常は錠本体１１は前記「押圧手段２０が係止部材１３を押す方向と同じ方向」に押されているが、図１４に示すように、係止部材１３が可動部材３により「押圧手段２０が係止部材１３を押す方向」と反対方向に押された場合に錠本体１１は第２弾性部材３１の付勢力に抗して「押圧手段２０が係止部材１３を押す方向と反対方向」に摺動して移動可能である。
このため、施錠対象１の扉、引出し等の可動部材３を係止しないで、錠１０の係止部材１３が施錠状態の位置にある場合に、誤って施錠対象１の扉、引出し等の可動部材３を動かして錠１０の係止部材１３に衝突させたときに、錠１０の係止部材１３が受ける衝撃を緩和することができる。
【００２６】
なお、上述の実施の形態において、押しボタンスイッチ４１を省いて、ＩＣ具有部材５０のみにより錠１０を施錠および開錠するようにしてもよい。
また、ＩＣ具有部材５０の形態は、ＩＣカード（非接触型、接触型の両方を含む。）、ＩＣタグに限定されず、その外形は任意の形態（例えばボタンの形）でもよい。
なお、例えば非接触型のＩＣカードはカード内にコイル（アンテナとなる。）とＩＣチップを有しているので、制御部２１のリーダライタから発生している磁界にＩＣカードをかざすだけで錠１０の制御部２１を制御することができる。この点に関しては、非接触型のＩＣ具有部材５０は同様である。
また、カバー１２および蓋１５で構成される錠１０の外枠の基本的形態は直方体の一部の角を丸くしたものであるが、これに限定されず、任意の形状でもよい。
【図面の簡単な説明】
【００２７】
【図１】本発明の実施の形態に係わる錠の正面を一部分破断して示す正面図である。
【図２】図１の錠の下面図である。
【図３】図１の錠の背面図である。
【図４】図１の錠の背面側からみた斜視図である。
【図５】図３の背面側からみた内部構造を示す部分図である。
【図６】図２の下面側から見た内部構造を示す部分図である。
【図７】図５の係止部材等を斜めに見た斜視図である。
【図８】図４の背面側から斜めに見た内部構造を示す斜視図である。
【図９】図８の係止部材を示す部分図である。
【図１０】図１の錠本体の静止機構を示す部分図である。
【図１１】図１の錠の回路のブロック図である。
【図１２】図１の錠の施錠状態を示す説明図である。
【図１３】図１２の錠の背面側から見た斜視図である。
【図１４】図１２の錠の係止部材に衝撃が加わる場合を示す説明図である。
【符号の説明】
【００２８】
１  施錠対象
２  施錠対象の枠の外面
３  施錠対象の可動部材
１０  錠
１１  錠本体
１３  係止部材
１３ａ  基部
１３ｂ  先端部
１４  第１弾性部材
２０  押圧手段
２１  制御部
２２  モータ
２３  減速機構
２４  ネジ部材
２５  スライダ
３０  裏面部材
３１  第２弾性部材
５０  ＩＣ具有部材
【図１】
2009084830.tif 000003
【図２】
2009084830.tif 000004
【図３】
2009084830.tif 000005
【図４】
2009084830.tif 000006
【図５】
2009084830.tif 000007
【図６】
2009084830.tif 000008
【図７】
2009084830.tif 000009
【図８】
2009084830.tif 000010
【図９】
2009084830.tif 000011
【図１０】
2009084830.tif 000012
【図１１】
2009084830.tif 000013
【図１２】
2009084830.tif 000014
【図１３】
2009084830.tif 000015
【図１４】
2009084830.tif 000016